(57)【要約】【課題】開封しやすいブリスターパックが得られるブリスター包装機を提供する。【解決手段】ブリスター包装機１０は、間欠的に搬送される容器フィルム３に対し、その搬送方向に並ぶようにしてポケット部２及び機能凹部８を形成するポケット部形成手段１２と、ポケット部２にワーク５を充填する充填手段１３と、機能凹部８にカバーフィルム４を押込む押込み突起５１を具備するとともに、押込み突起５１の押込み状態において、ポケット部２の周縁部に対応してフィルム３、４を取着するシール手段１４と、機能凹部８にカバーフィルム４が押込まれた状態で、少なくとも機能凹部８とポケット部２との間の非取着部位において、カバーフィルム４の取着された容器フィルム３をその幅方向に沿って切離する切断手段１５とを備え、少なくとも一辺部においてカバーフィルム４の端部が容器フィルム３よりも外側に突出するブリスターパック１が得られるよう構成される。【選択図】      図１
2008162620.tif 000002
【特許請求の範囲】
【請求項１】
間欠的に移送される帯状の容器フィルムに対してポケット部を形成するポケット部形成手段と、
前記ポケット部にワークを充填する充填手段と、
ワークが充填された前記ポケット部を塞ぐようにして前記容器フィルムにカバーフィルムを取着するシール手段と、
打抜き、又は、切断によって、前記カバーフィルムの取着された前記容器フィルムを切離可能な打抜・切断手段とを備えたブリスター包装機であって、
前記容器フィルムの移送方向において前記ポケット部と隣接又は近接する位置に前記ポケット部と同じ側に凹んでなる機能凹部を形成する機能凹部形成手段と、
前記カバーフィルムを前記機能凹部に押込む押込み手段とを備え、
前記シール手段は、前記押込み手段が前記カバーフィルムを前記機能凹部に押込んでいる状態において、少なくとも前記機能凹部を含む所定領域において前記容器フィルムと前記カバーフィルムとが取着されない非取着部位が形成されるように、少なくとも前記ポケット部の周縁部に対応して前記容器フィルムと前記カバーフィルムとを取着し、
前記打抜・切断手段は、前記機能凹部に前記カバーフィルムが押込まれた状態で、少なくとも前記機能凹部又はその近傍の非取着部位において前記カバーフィルム及び前記容器フィルムをその幅方向に沿って切離する構成であって、
少なくとも一辺部において前記カバーフィルムの端部が前記容器フィルムよりも外側に突出するブリスターパックが得られるよう構成したことを特徴とするブリスター包装機。
【請求項２】
帯状の前記カバーフィルムを前記シール手段側に向けて所定量繰出す所定量繰出し手段と、前記所定量繰出し手段によって繰出された所定量の前記カバーフィルムを貯留可能なバッファ機構とを備えたことを特徴とする請求項１に記載のブリスター包装機。
【請求項３】
間欠的に移送される帯状の容器フィルムに対してポケット部を形成するポケット部形成手段と、
前記ポケット部にワークを充填する充填手段と、
ワークが充填された前記ポケット部を塞ぐようにして前記容器フィルムにカバーフィルムを取着するシール手段と、
打抜き、又は、切断によって、前記カバーフィルムの取着された前記容器フィルムを切離可能な打抜・切断手段とを備えたブリスター包装機であって、
前記容器フィルムの移送方向において前記ポケット部と隣接又は近接する位置に前記ポケット部と同じ側に凹んでなる機能凹部を形成する機能凹部形成手段と、
前記カバーフィルムを前記機能凹部に押込む押込み手段とを備え、
前記シール手段は、前記押込み手段が前記カバーフィルムを前記機能凹部に押込んでいる状態において、少なくとも前記機能凹部を含む所定領域において前記容器フィルムと前記カバーフィルムとが取着されない非取着部位が形成されるように、少なくとも前記ポケット部の周縁部に対応して前記容器フィルムと前記カバーフィルムとを取着し、
前記打抜・切断手段は、前記機能凹部に前記カバーフィルムが押込まれた状態で、少なくとも前記機能凹部又はその近傍の非取着部位において前記カバーフィルム及び前記容器フィルムをその幅方向に沿って切離する構成であって、
少なくとも一辺部において前記カバーフィルムの端部が前記容器フィルムよりも外側に突出するブリスターパックが得られるよう構成し、
帯状の前記カバーフィルムを前記シール手段側に向けて繰出し可能な繰出し手段と、
前記繰出し手段によって一定量の前記カバーフィルムが繰出された場合に前記繰出し手段の駆動を停止させる一定送り手段と、
前記繰出し手段と前記シール手段との間において、前記繰出し手段によって繰出された前記カバーフィルムを貯留可能なバッファ機構とを備え、
前記バッファ機構において貯留されたカバーフィルムは、前記容器フィルムの移送に伴って引き出されるとともに、
前記押込み手段が前記カバーフィルムを前記機能凹部に押込むことで、前記バッファ機構に貯留されているカバーフィルムの残り全てが引き出されることを特徴とするブリスター包装機。
【請求項４】
前記一定送り手段は、前記カバーフィルムに対しその長手方向に沿って一定間隔毎に付されたレジマークを検知する検知手段と、前記検知手段の検知に基づいて前記繰出し手段の駆動を停止させるコントローラとを備えることを特徴とする請求項３に記載のブリスター包装機。
【請求項５】
間欠的に移送される前記容器フィルムの１回の移送距離と、前記機能凹部に押込まれる前記カバーフィルムの長さとの和が、前記カバーフィルムに対して前記レジマークの付される間隔と等しくなるよう設定されていることを特徴とする請求項４に記載のブリスター包装機。
【請求項６】
前記押込み手段は、前記カバーフィルムを前記機能凹部へ押込む際に、前記カバーフィルムから受ける反発力に応じて前記カバーフィルムの前記機能凹部への押込み量を可変とするための緩衝手段を備えることを特徴とする請求項３乃至５のいずれかに記載のブリスター包装機。
【請求項７】
前記打抜・切断手段は、前記ポケット部と前記機能凹部との間の非取着部位において、前記カバーフィルム及び前記容器フィルムをその幅方向に沿って切離することを特徴とする請求項１乃至６のいずれかに記載のブリスター包装機。
【請求項８】
前記シール手段は、前記カバーフィルムと当接する上型と、前記容器フィルムと当接する下型とを備え、前記上型と前記下型との間に重ねられるようにして送り込まれる前記容器フィルム及び前記カバーフィルムを前記上型及び前記下型で圧接することで両フィルムを熱接着する構成であって、
前記上型は、前記機能凹部に対応して、前記カバーフィルムと当接する面から前記下型側に突出する押込み突起を備え、
前記上型と前記下型とが接触方向に相対移動することで、前記押込み突起が前記カバーフィルムを前記機能凹部に押込むとともに、当該機能凹部の上流側に位置する前記ポケット部の周縁部に対応して、前記容器フィルムと前記カバーフィルムとが接着されることを特徴とする請求項１乃至７のいずれかに記載のブリスター包装機。
【請求項９】
前記ポケット部形成手段により、前記容器フィルムの幅方向に並ぶようにして複数の前記ポケット部が形成されるブリスター包装機であって、
前記容器フィルムの幅方向に並ぶ複数のポケット部に対応して設けられる機能凹部は、一続きに、かつ、一直線状に形成されることを特徴とする請求項１乃至８のいずれかに記載のブリスター包装機。
【発明の詳細な説明】
【技術分野】
【０００１】
本発明は、ブリスター包装機に関するものである。
【背景技術】
【０００２】
一般に、ブリスターパック（ブリスターシート）を製造するに際しては、ブリスター包装機が用いられる。ブリスター包装機の最上流側では、帯状の容器フィルムがロール状に巻回されている。ロール状に巻回された包装用フィルムは、下流側に向けて搬送されるようになっており、容器フィルムの搬送経路に沿って、ポケット部形成手段、充填手段、シール手段、打抜・切断手段が順に配設されている。ポケット部形成手段においては、容器フィルムに対して被充填物（ワーク）を収容するためのポケット部が成形される。続く充填手段においては、ポケット部にワークが投入、充填される。さらにシール手段においては、ポケット部を塞ぐようにしてカバーフィルムが取着される。そして、打抜・切断手段では、打抜き、或いは、切断によって最終製品たるブリスターパックが切り離される。
【０００３】
さて、上記のように形成されるブリスターパックは、容器フィルムからカバーフィルムを剥がすことでワークを取り出せるようになっている。このため、一般に、ブリスターパックの端部においては、容器フィルムとカバーフィルムとがシール（接着）されておらず、カバーフィルムの端部を捲って、両フィルムの端部を摘めるようになっている。
【０００４】
ところが、容器フィルムの端縁とカバーフィルムの端縁とが密接状態で揃っている場合には、両フィルム間がシールされていないとはいえ、カバーフィルムを捲って摘むことが困難となってしまうおそれがある。
【０００５】
これに対し、シールされていないブリスターパックの端部において、容器フィルムの端縁を外側に突出させるとともに、容器フィルムとカバーフィルムとの間が端縁に近付くほど広がるように形成するといった技術がある（例えば特許文献１参照。）。
【特許文献１】特開平２−１３９３７３号公報
【発明の開示】
【発明が解決しようとする課題】
【０００６】
上記特許文献１の技術を採用することで、容器フィルム及びカバーフィルムの端縁同士が密接している場合に比べ、容器フィルムの端部が摘みやすくなる。
【０００７】
しかしながら、特許文献１に記載の技術においては、容器フィルムの端部に形成した凸部や凹部の成形歪み（経時的な変形）によって、容器フィルムの端部がカバーフィルムから離間するものであるため、容器フィルムの端部とカバーフィルムとの開き具合にばらつきが生じてしまうおそれがある。このため、場合によっては、両者の離間の程度が不十分となり、従って、カバーフィルムを剥がしにくくなってしまうおそれがある。また、上記技術では、容器フィルム側のタブが摘まれる構成となっているため、剥離作業が行い難く、開封作業が煩わしいものとなってしまうおそれもある。
【０００８】
本発明は、上述した問題点を解決するためになされたものであり、その目的は、開封しやすいブリスターパックを得ることのできるブリスター包装機を提供することにある。
【課題を解決するための手段】
【０００９】
以下、上記目的等を解決するのに適した各手段につき項分けして説明する。なお、必要に応じて対応する手段に特有の作用効果等を付記する。
【００１０】
手段１．間欠的に移送される帯状の容器フィルムに対してポケット部を形成するポケット部形成手段と、
前記ポケット部にワークを充填する充填手段と、
ワークが充填された前記ポケット部を塞ぐようにして前記容器フィルムにカバーフィルムを取着するシール手段と、
打抜き、又は、切断によって、前記カバーフィルムの取着された前記容器フィルムを切離可能な打抜・切断手段とを備えたブリスター包装機であって、
前記容器フィルムの移送方向において前記ポケット部と隣接又は近接する位置に前記ポケット部と同じ側に凹んでなる機能凹部を形成する機能凹部形成手段と、
前記カバーフィルムを前記機能凹部に押込む押込み手段とを備え、
前記シール手段は、前記押込み手段が前記カバーフィルムを前記機能凹部に押込んでいる状態において、少なくとも前記機能凹部を含む所定領域において前記容器フィルムと前記カバーフィルムとが取着されない非取着部位が形成されるように、少なくとも前記ポケット部の周縁部に対応して前記容器フィルムと前記カバーフィルムとを取着し、
前記打抜・切断手段は、前記機能凹部に前記カバーフィルムが押込まれた状態で、少なくとも前記機能凹部又はその近傍の非取着部位において前記カバーフィルム及び前記容器フィルムをその幅方向に沿って切離する構成であって、
少なくとも一辺部において前記カバーフィルムの端部が前記容器フィルムよりも外側に突出するブリスターパックが得られるよう構成したことを特徴とするブリスター包装機。
【００１１】
手段１に記載のブリスター包装機によって得られるブリスターパックは、少なくとも一辺部においてカバーフィルムの端部が容器フィルムよりも外側に突出している。従って、前記一辺部においては、カバーフィルムのうち容器フィルム側の面に対して指を当接させることができ、カバーフィルムを摘んで捲りやすくなっている。このように、カバーフィルムの端部を容器フィルムよりも外側に突出させることで、例えば、カバーフィルムよりも硬くて厚肉な容器フィルムがカバーフィルムよりも外側に突出しているような構成や、容器フィルム及びカバーフィルムの端縁が揃っているような構成に比べ、比較的容易にカバーフィルムを捲って容器フィルムから剥がすことができる。勿論、ブリスターパックの端部において容器フィルムとカバーフィルムとの間が広がるように構成する必要もない。これらのことから、開封しやすいブリスターパックを安定して得ることができる。
【００１２】
また、本手段によれば、機能凹部にカバーフィルムが押込まれている状態において、少なくとも機能凹部を含む所定領域を除く範囲において、少なくともポケット部の周縁部に対応して両フィルムが取着される。さらに、機能凹部又はその近傍の非取着部位においてカバーフィルム及び容器フィルムがその幅方向に沿って切離される。そして、機能凹部に押込まれていたカバーフィルムが機能凹部から抜け出すことで、カバーフィルムの端部が容器フィルムよりも外側に突出することとなる。従って、上記作用効果の奏されるブリスターパックが確実に得られることとなる。
【００１３】
尚、ポケット部形成手段は、上型及び下型を備えるとともに、上型及び下型が接触方向に相対移動することで、ポケット部と機能凹部とが同時に形成されることとしてもよい。この場合、ポケット部形成手段が機能凹部形成手段を兼ねることとなる。また、かかる構成を採用する場合、別途機能凹部を形成するための工程を必要としないため、製造作業性の向上やコストの抑制等を図ることができる。
【００１４】
手段２．帯状の前記カバーフィルムを前記シール手段側に向けて所定量繰出す所定量繰出し手段と、前記所定量繰出し手段によって繰出された所定量の前記カバーフィルムを貯留可能なバッファ機構とを備えたことを特徴とする手段１に記載のブリスター包装機。
【００１５】
手段２によれば、バッファ機構を備えることで、容器フィルムの移送とカバーフィルムの移送（繰出し）とを同期させる必要がなくなるため、各フィルムの送り制御を比較的容易なものとすることができる。
【００１６】
手段３．間欠的に移送される帯状の容器フィルムに対してポケット部を形成するポケット部形成手段と、
前記ポケット部にワークを充填する充填手段と、
ワークが充填された前記ポケット部を塞ぐようにして前記容器フィルムにカバーフィルムを取着するシール手段と、
打抜き、又は、切断によって、前記カバーフィルムの取着された前記容器フィルムを切離可能な打抜・切断手段とを備えたブリスター包装機であって、
前記容器フィルムの移送方向において前記ポケット部と隣接又は近接する位置に前記ポケット部と同じ側に凹んでなる機能凹部を形成する機能凹部形成手段と、
前記カバーフィルムを前記機能凹部に押込む押込み手段とを備え、
前記シール手段は、前記押込み手段が前記カバーフィルムを前記機能凹部に押込んでいる状態において、少なくとも前記機能凹部を含む所定領域において前記容器フィルムと前記カバーフィルムとが取着されない非取着部位が形成されるように、少なくとも前記ポケット部の周縁部に対応して前記容器フィルムと前記カバーフィルムとを取着し、
前記打抜・切断手段は、前記機能凹部に前記カバーフィルムが押込まれた状態で、少なくとも前記機能凹部又はその近傍の非取着部位において前記カバーフィルム及び前記容器フィルムをその幅方向に沿って切離する構成であって、
少なくとも一辺部において前記カバーフィルムの端部が前記容器フィルムよりも外側に突出するブリスターパックが得られるよう構成し、
帯状の前記カバーフィルムを前記シール手段側に向けて繰出し可能な繰出し手段と、
前記繰出し手段によって一定量の前記カバーフィルムが繰出された場合に前記繰出し手段の駆動を停止させる一定送り手段と、
前記繰出し手段と前記シール手段との間において、前記繰出し手段によって繰出された前記カバーフィルムを貯留可能なバッファ機構とを備え、
前記バッファ機構において貯留されたカバーフィルムは、前記容器フィルムの移送に伴って引き出されるとともに、
前記押込み手段が前記カバーフィルムを前記機能凹部に押込むことで、前記バッファ機構に貯留されているカバーフィルムの残り全てが引き出されることを特徴とするブリスター包装機。
【００１７】
手段３によれば、基本的には上記手段１と同様の作用効果が奏される。さらに、バッファ機構を備えることで、上記手段２と同様の作用効果が奏される。
【００１８】
また、一般にカバーフィルムの表面には、ワークの製品名、製造日等を示す識別情報等が印刷されている。このため、容器フィルムのポケット部に対してカバーフィルムに印刷された識別情報等が位置ずれしないように、容器フィルム及びカバーフィルムを一定のピッチで送る必要のあるケースもある。この点、本手段３によれば一定送り手段を具備しているため、カバーフィルムを前記識別情報等の印刷範囲に対応させて一定量ずつ繰出すことが可能となる。しかしながら、種々の要因により、容器フィルムのポケット部とカバーフィルムとが長手方向に若干ずれてしまうことがあり、例えば、ブリスターパックに記されているはずの識別情報の一部が欠けて読めなくなってしまうといった事態を招くおそれがある。
【００１９】
これに対し、本手段３によれば、バッファ機構において貯留されているカバーフィルムは、容器フィルムの移送に伴って引き出された後においても幾分残るようになっており、この残りのカバーフィルムは押込み手段によってカバーフィルムが機能凹部に押込まれることで全て引き出される。換言すれば、押込み手段は、バッファ機構に貯留されているカバーフィルムの残り全てが引き出されるまで、カバーフィルムを機能凹部に押込むようになっている。尚、上記のように一定送り手段を設けたとしてもカバーフィルムの実際の送り量にずれが生じてしまうことも懸念されるが、例えば、カバーフィルムの繰出し量が予定量よりも少なくなってしまった場合には、機能凹部に押込まれるカバーフィルムの量（長さ）が少ないものとされ、一方、カバーフィルムの繰出し量が予定量よりも多くなってしまった場合には、機能凹部に押込まれるカバーフィルムの量が多いものとされる。このように、カバーフィルム等の送り量の若干のばらつきに応じて機能凹部へのカバーフィルムの押込み量が追従的に調整されることで、容器フィルムとカバーフィルムとが長手方向に大きくずれてしまうといったおそれを防止することができ、結果として、カバーフィルムに印刷された識別情報等の位置合わせをより確実に行うことができる。
【００２０】
手段４．前記一定送り手段は、前記カバーフィルムに対しその長手方向に沿って一定間隔毎に付されたレジマークを検知する検知手段と、前記検知手段の検知に基づいて前記繰出し手段の駆動を停止させるコントローラとを備えることを特徴とする手段３に記載のブリスター包装機。
【００２１】
手段４によれば、カバーフィルムに対して一定間隔毎に付されたレジマークを検知することでカバーフィルムを一定間隔毎繰出すことから、例えば、カバーフィルムの繰出し量を実測することで一定量を繰出可能とする構成に比べ、僅かなずれが蓄積されて大きなずれとなってしまうといった事態を防止することができる。従って、カバーフィルムに印刷された識別情報等の位置合わせをより確実に行うことができる。また、カバーフィルムの繰出し量を実測したりする場合に比べ、一定送り手段の構成の簡素化等を図ることができる。
【００２２】
手段５．間欠的に移送される前記容器フィルムの１回の移送距離と、前記機能凹部に押込まれる前記カバーフィルムの長さとの和が、前記カバーフィルムに対して前記レジマークの付される間隔と等しくなるよう設定されていることを特徴とする手段４に記載のブリスター包装機。
【００２３】
手段５によれば、安定した一定送りや押込みを実現でき、より確実に位置ずれを防止できる。
【００２４】
手段６．前記押込み手段は、前記カバーフィルムを前記機能凹部へ押込む際に、前記カバーフィルムから受ける反発力に応じて前記カバーフィルムの前記機能凹部への押込み量を可変とするための緩衝手段を備えることを特徴とする手段３乃至５のいずれかに記載のブリスター包装機。
【００２５】
手段６によれば、カバーフィルムから受ける反発力によって機能凹部への押込み量を可変としているため、バッファ機構に貯留されているカバーフィルムがなくなったらそれ以上カバーフィルムを機能凹部に押しこまない構成とすることができる。従って、機能凹部に対しカバーフィルムを無理に押込んでしまい、これに起因して、カバーフィルムが引き延ばされたり、容器フィルムが潰れたりしてしまうといったおそれを防止することができる。
【００２６】
手段７．前記打抜・切断手段は、前記ポケット部と前記機能凹部との間の非取着部位において、前記カバーフィルム及び前記容器フィルムをその幅方向に沿って切離することを特徴とする手段１乃至６のいずれかに記載のブリスター包装機。
【００２７】
例えば、カバーフィルムと容器フィルムとが離間している部位において、カバーフィルム及び容器フィルムを切離するような場合には、カバーフィルム又は容器フィルムのうちどちらか一方については、切離当初は宙に浮いた状態となっている。このため、切離に際し、カバーフィルムが延びたり、容器フィルムが変形したりするおそれがある。
【００２８】
この点、本手段７によれば、ポケット部と機能凹部との間において切離することとしている。当該部位においては、容器フィルムに凹部等が形成されておらず、カバーフィルムと容器フィルムとが密接しているため、上記不具合を防止することができる。
【００２９】
また、本手段によれば、ポケット部と機能凹部との間において切離するため、一辺部においてのみカバーフィルムの端部が容器フィルムから外側に突出することとなる。従って、機能凹部において切離する場合に比べて、容器フィルムから外側に突出するカバーフィルムの突出長をより長くすることができる。その結果、カバーフィルムを摘んで捲り易くするといった作用効果が一層確実に奏される。
【００３０】
手段８．前記シール手段は、前記カバーフィルムと当接する上型と、前記容器フィルムと当接する下型とを備え、前記上型と前記下型との間に重ねられるようにして送り込まれる前記容器フィルム及び前記カバーフィルムを前記上型及び前記下型で圧接することで両フィルムを熱接着する構成であって、
前記上型は、前記機能凹部に対応して、前記カバーフィルムと当接する面から前記下型側に突出する押込み突起を備え、
前記上型と前記下型とが接触方向に相対移動することで、前記押込み突起が前記カバーフィルムを前記機能凹部に押込むとともに、当該機能凹部の上流側に位置する前記ポケット部の周縁部に対応して、前記容器フィルムと前記カバーフィルムとが接着されることを特徴とする手段１乃至７のいずれかに記載のブリスター包装機。
【００３１】
手段８によれば、上型と下型とを接触方向に相対移動させることで、容器フィルムとカバーフィルムとを接着するシール工程と、カバーフィルムを機能凹部に押込む押込み工程とを行うことができるため、製造作業性の向上やコストの抑制等を図ることができる。尚、本手段８の構成を採用する場合、押込み突起を具備するシール手段が押込み手段を兼ねることとなる。
【００３２】
手段９．前記ポケット部形成手段により、前記容器フィルムの幅方向に並ぶようにして複数の前記ポケット部が形成されるブリスター包装機であって、
前記容器フィルムの幅方向に並ぶ複数のポケット部に対応して設けられる機能凹部は、一続きに、かつ、一直線状に形成されることを特徴とする手段１乃至８のいずれかに記載のブリスター包装機。
【００３３】
例えば、容器フィルムの幅方向に並ぶようにして形成される複数のポケット部に個別に対応して、機能凹部が容器フィルムの幅方向に並ぶようにして（断続的に）形成される場合には、各機能凹部にカバーフィルムを押込む際にカバーフィルムが皺になってしまうおそれがある。これに対し、本手段９によれば、容器フィルムの幅方向に並ぶ全てのポケット部に対応する機能凹部が一続きにかつ一直線状に形成されるため、上記不具合を防止することができ、品質の低下を防止することができる。
【発明を実施するための最良の形態】
【００３４】
以下、一実施形態について、図面を参照しつつ説明する。
【００３５】
図２（ａ），（ｂ）に示すように、ブリスターパック１は、ポケット部２を有する容器フィルム３と、ポケット部２を塞ぐようにして容器フィルム３に取着されたカバーフィルム４とを備えている。容器フィルム３は、例えばＰＰやＰＶＣ等の熱可塑性樹脂によって構成され、カバーフィルム４は、例えばアルミニウム等によって構成されている。また、ポケット部２にはワーク５が収容されている。本実施形態におけるワーク５としては、例えば、電子部品、電子機器、食品、医療機器等が挙げられる。加えて、図示は省略するが、カバーフィルム４の表面には、ワーク５の内容等を示す識別情報（例えば、製品番号や消費期限等）が印刷されている。
【００３６】
また、容器フィルム３には、その一辺部に沿ってポケット部２と同方向に凹んでなる断面略コ字状の機能凹部８が形成されている。ブリスターパック１のうち前記機能凹部８が形成された一辺部においては、容器フィルム３の端縁とカバーフィルム４の端縁とが揃っておらず、カバーフィルム４が容器フィルム３よりも外側に突出している。
【００３７】
次に、上記ブリスターパック１を製造するためのブリスター包装機１０の構成について説明する。
【００３８】
図１に示すように、ブリスター包装機１０の最上流側では、帯状の容器フィルム３がロール状に巻回されている。本実施形態では、容器フィルム３は、チェーンクリップコンベア１１により両側部がクリップで把持された状態で、図１の左方（上流）から右方（下流）へ間欠的に搬送される。
【００３９】
また、ブリスター包装機１０は、容器フィルム３の搬送経路に沿って、ポケット部形成手段１２、充填手段１３、シール手段１４、及び切断手段１５（打抜・切断手段を構成する）を備えている。
【００４０】
ポケット部形成手段１２は、容器フィルム３を部分的に加熱できるように構成されるとともに、容器フィルム３を挟んで上下に設けられた上型２１及び下型２２を備えている。上型２１は、前記ポケット部２を成形する第１成形凸部２１ａと、前記機能凹部８を成形する第２成形凸部２１ｂとを具備している。下型２２は、上型２１の第１成形凸部２１ａを収容可能な第１収容凹部２２ａと、第２成形凸部２１ｂを収容可能な第２収容凹部２２ｂとを具備している。そして、該容器フィルム３が加熱により比較的柔軟になった状態において、上型２１及び下型２２が接触方向に相対移動することで、容器フィルム３に対し、容器フィルム３の搬送方向に並ぶようにしてポケット部２及び機能凹部８がほぼ同時に成形される。
【００４１】
本実施形態では、図３（ａ）に示すように、容器フィルム３の幅方向（搬送方向と直交する方向）に並ぶようにして複数（例えば７つ）のポケット部２と、これら全てのポケット部２の下流側（図３（ａ）では右側）に位置するようにして、容器フィルム３の幅方向に沿って一直線状に延びる一条の機能凹部８とが同時に形成される。尚、このポケット部２及び機能凹部８の成形は、容器フィルム３の搬送動作間のインターバルの際に行われる。また、本実施形態では、ポケット部形成手段１２が機能凹部形成手段を兼ねている。
【００４２】
充填手段１３は、所定間隔毎に図示しないシャッタを開くことでワーク５を落下させるものであり、このシャッタ開放動作に伴って各ポケット部２にワーク５が投入される。尚、このワーク５の充填は、容器フィルム３の搬送動作間のインターバルの際に行われる。
【００４３】
カバーフィルム４は、シール手段１４の上流側において、前記容器フィルム３とは別にロール状に巻回され、その引出し端側は、ガイドローラ等を介してシール手段１４の方へと案内される。
【００４４】
本実施形態では、カバーフィルム４は、図示しないモータに連結された繰出しローラ４１によって、間欠的に一定のピッチで繰出されるようになっている。より詳しく説明すると、カバーフィルム４には、図３（ａ）に示すように、その長手方向に沿って一定間隔毎にレジマーク４ａが付されている。さらに、カバーフィルム４の搬送経路に対応して、レジマーク４ａを検知する検知手段４２が設けられているとともに、検知手段４２及び前記モータに対し電気的に接続され、検知手段４２によってレジマーク４ａが検知された場合に繰出しローラ４１（前記モータ）の回転を停止させる図示しないコントローラが設けられている。これにより、レジマーク４ａの付された一定間隔に対応する所定距離ずつカバーフィルム４が繰出されるようになっている。尚、レジマーク４ａは、切断手段１５によって切り離されて廃棄又はリサイクルされるカバーフィルム４の側部に対し印刷されている。また、本実施形態では、モータに連結された繰出しローラ４１が繰出し手段を構成し、検知手段４２と、繰出しローラ４１（前記モータ）の駆動制御を行うコントローラとが一定送り手段（所定量繰出し手段）を構成する。
【００４５】
尚、繰出しローラ４１は、検知手段４２がレジマーク４ａを検知することで最終的に停止されるのではあるが、本実施形態では、停止直前においては回転速度が遅くなるように設定されている。つまり、繰出しローラ４１が回転を開始してからレジマーク４ａが検知されるまでの回転量（つまり繰出し量）を見越して、予め回転開始から所定回転後に回転速度が遅くなるような設定がなされている。このため、検知手段４２によってレジマーク４ａを検知してから繰出しローラ４１が完全に停止するまでの間に繰出されることとなるカバーフィルム４の量（長さ）を極力少なくすることができ、結果として、カバーフィルム４の繰出し量のばらつきを極力抑制することができる。尚、レジマーク４ａの検知後に、所定時間経過してから又は所定量繰出してから繰出しローラ４１が停止される構成とし、レジマーク４ａの検知後において繰出しローラ４１の回転速度を遅くする場合においても同様の効果が奏される。
【００４６】
また、本実施形態では、繰出しローラ４１とシール手段１４との間において、繰出しローラ４１によって繰出されたカバーフィルム４を貯留可能なバッファ機構４４が設けられている。図４等に示すように、バッファ機構４４は、一対の従動ローラ４５、４６と、当該一対の従動ローラ４５、４６の間において上下方向に変位可能に設けられたダンサローラ４７とを備えており、上流側から従動ローラ４５の上側、ダンサローラ４７の下側、従動ローラ４６の上側といった順にカバーフィルム４が掛装されている。
【００４７】
そして、繰出しローラ４１によってカバーフィルム４が繰出された場合には、ダンサローラ４７が下降して、一対の従動ローラ４５、４６の間に繰出された分のカバーフィルム４が貯留されることとなる（図４参照）。一方、カバーフィルム４がシール手段１４側に引っ張られた場合には、一対の従動ローラ４５、４６の間に貯留されていたカバーフィルム４がシール手段１４側に引き出され、ダンサローラ４７が上昇することとなる（図５参照）。尚、シール手段１４よりも下流側においては容器フィルム３とカバーフィルム４とが接着されているため、容器フィルム３が一定距離搬送された場合には、カバーフィルム４についても同じ距離だけ引き出されることとなる。尚、前記レジマーク４ａが付される間隔は、間欠送りされる容器フィルム３の１回の送り距離（１ピッチ）よりも若干長く設定されている。
【００４８】
また、バッファ機構４４には、ダンサローラ４７の上方においてダンサローラ４７と当接可能なストッパ４８が固定状態で設けられている。当該ストッパ４８の存在により、ダンサローラ４７の所定位置よりも上方への移動が規制されることとなる。
【００４９】
シール手段１４は、自身の下面が所定のシール温度に加熱され得る上型２３と、ポケット部２及び機能凹部８に対応する凹部又は開口の形成された下型２４とを備えており、両型２３，２４が上下動可能かつ圧接可能に構成されている。そして、上型２３及び下型２４間に、ポケット部２に対してワーク５が充填された容器フィルム３、及び、ポケット部２を塞ぐようにして容器フィルム３の上方に重ねられたカバーフィルム４が送り込まれ、両フィルム３、４が両型２３，２４によって圧接させられることで、ポケット部２の周縁部（図３（ａ）の散点模様を付した部位）に対しカバーフィルム４が熱接着されることとなる。これにより、ワーク５が充填されたポケット部２をカバーフィルム４で密封した帯状のブリスターフィルム１６が製造される。尚、この容器フィルム３及びカバーフィルム４の接着は、容器フィルム３の搬送動作間のインターバルの際に行われる。
【００５０】
さて、本実施形態では、シール手段１４の上型２３は、機能凹部８と対応する位置（機能凹部８に対応して下型２４に形成された凹部又は開口と対向する位置）において、カバーフィルム４と当接する下面から突出する押込み突起５１を備えている。押込み突起５１の先端部は、機能凹部８に挿入となっている。そして、上型２３及び下型２４が接触方向に相対移動することで、容器フィルム３とカバーフィルム４とが接着される前に、押込み突起５１によってカバーフィルム４が機能凹部８に押込まれるようになっている。尚、本実施形態では、押込み突起５１を具備するシール手段１４が、押込み手段を兼ねている。
【００５１】
また、上記のように、レジマーク４ａが付される間隔が、間欠的に移送される容器フィルム３の１回の搬送距離（１ピッチ）よりも若干長く設定されていることから、容器フィルム３の搬送が行われた後の状態においてもバッファ機構４４には若干量のカバーフィルム４が貯留されていることとなる。このバッファ機構４４に貯留されている若干量のカバーフィルム４が、前述したカバーフィルム４の機能凹部８への押込みに際して追従的に引き出されることで、比較的スムースにカバーフィルム４を機能凹部８へ押込むことができるようになっている。従って、カバーフィルム４を機能凹部８へ押込む際に、カバーフィルム８にかかる負荷を抑制することができる。そういう意味では、本実施形態では、レジマーク４ａの付される間隔が、容器フィルム３の１回の搬送距離（１ピッチ）と、機能凹部８に押込まれるカバーフィルム４の長さとの和に等しくなるように設定されている。このため、カバーフィルム４が機能凹部８へ押込まれた状態においては、貯留されているカバーフィルム４が全て引き出され、ダンサローラ４７が上昇してストッパ４８と当接することとなる。
【００５２】
また、図４等に示すように、押込み突起５１は、上型２３の下面に形成された穴部５２に挿入状態で配置されるとともに、穴部５２の底面（天壁部）に対しコイルばね５３を介して接続されている。つまり、押込み突起５１は、カバーフィルム４を機能凹部８へ押込む際に、カバーフィルム４から所定の反発力を受けると、穴部５２へと没入する方向に相対移動し、上型２３の下面から突出する突出長が短くなる。
【００５３】
より詳しく説明すると、バッファ機構４４（従動ローラ４５、４６の間）にカバーフィルム４が貯留されている状態においては、押込み突起５１がほとんど穴部５２へと没入することなく、機能凹部８にカバーフィルム４を押込むことができる。一方、貯留されているカバーフィルム４が全て引き出され、ダンサローラ４７とストッパ４８とが当接した場合には、カバーフィルム４がより緊張した状態となり、押込み突起５１がカバーフィルム４から受ける反発力がそれまでよりも上昇する。本実施形態では、ダンサローラ４７とストッパ４８とが当接してからさらに上型２３が下方に移動したとしても、押込み突起５１が穴部５２へと没入する方向に相対移動し、カバーフィルム４がそれ以上機能凹部８に押込まれないようになっている。つまり、バッファ機構４４に貯留されている残りのカバーフィルム４の量に応じて、カバーフィルム４の押込み量を追従的に変化させることができるようになっている。尚、本実施形態では、コイルばね５３が緩衝手段を構成する。
【００５４】
また、切断手段１５は、上型３１及び下型３２を備え、ブリスターフィルム１６をブリスターパック１単位に切離する機能を有している。尚、図３（ｂ）に示すように、上型３１には、ブリスターフィルム１６を切断するための切断刃３１ａが設けられているとともに、下型３２には切断刃に対向して受部３２ａが設けられている（これらは次述する切断線Ｌ１に対応している）。尚、このブリスターフィルム１６の切離は、容器フィルム３（ブリスターフィルム１６）の搬送動作間のインターバルの際に行われる。
【００５５】
そして、上型３１及び下型３２が互いに接触方向へ移動することでブリスターフィルム１６が切断される。本実施形態では、図３（ａ）に示すように、ポケット部２と当該ポケット部２よりも上流側（図３では左側）に位置する機能凹部８との間に位置し、容器フィルム３の幅方向に沿って延びる切断線Ｌ１、及び、各ポケット部２の両側方に位置し、容器フィルム３の移送方向に沿って延びる切断線Ｌ２においてブリスターフィルム１６が切断されるようになっている。これにより、ポケット部２を１つずつに分離するようにしてブリスターフィルム１６が切離され、ブリスターパック１が形成されることとなる。
【００５６】
また、上記のように、本実施形態では、ポケット部２周縁部（図３（ａ）の散点模様を付した部位）においてのみ容器フィルム３とカバーフィルム４とが接着されるようになっており、容器フィルム３の移送方向、及び、容器フィルム３の幅方向において互いに隣接するポケット部２同士の間においては、容器フィルム３とカバーフィルム４とが接着されていない非取着部位が形成される。本実施形態では、容器フィルム３の移送方向に並ぶポケット部２同士の間の非取着部位において機能凹部８が形成されるとともに、上記切断線Ｌ１が位置するよう設定されている。また、容器フィルム３の幅方向に並ぶポケット部２同士の間の非取着部位において切断線Ｌ２が位置するよう設定されている。これらにより、プリスターパック１の周縁部には非取着部位が形成されることとなり、カバーフィルム４を容器フィルム３から捲ることができるようになっている。尚、ポケット部２及び機能凹部８以外の部位においては、非取着部位であっても容器フィルム３とカバーフィルム４とが密接状態となっている。
【００５７】
切断手段１５の下方には、ブリスターパック１を図示しない完成品用ホッパに移送するためのコンベア１７が設けられている。また、図示はしないが、切断手段１５の下流側には、切断によって残った端材を裁断したりするための裁断手段や、裁断された端材を貯留するためのスクラップ用ホッパ等が設けられている。また、適宜、ワーク５が各ポケット部２に確実に充填されているか否か、またワーク５の外観異常の有無や、ポケット部２やフィルム３，４間への異物混入の有無等の検査を行うための外観検査装置を適宜設けることとしてもよい。加えて、ブリスターフィルム１６の下流側端部において、容器フィルム３の端部からカバーフィルム４が突出しているか否かを検査するための摘み部検査装置を設けることとしてもよい。
【００５８】
次に、容器フィルム３とカバーフィルム４とが接着される工程（シール工程）の一例について図面を参照しつつ説明する。
【００５９】
まず、図４に示すように、検知手段４２によってレジマーク４ａが検知されるまで、繰出しローラ４１によってカバーフィルム４が繰出される。このとき、ダンサローラ４７が下降して、繰出された分のカバーフィルム４がバッファ機構４４にて貯留される。
【００６０】
次に、図５に示すように、容器フィルム３が１ピッチ分搬送される。また、かかる容器フィルム３の搬送に伴って、バッファ機構４４に貯留されているカバーフィルム４についても同じ長さ分だけ引き出される。但し、上述の通り、バッファ機構４４には、容器フィルム３の搬送に伴ってカバーフィルム４が引き出された後においても、若干量の（機能凹部８に押込まれる分の）カバーフィルム４が貯留されている。
【００６１】
続いて、図６（ａ），（ｂ）に示すように、シール手段１４の上型２３と下型２４とを接触方向に相対移動させる。
【００６２】
このとき、上型２３がカバーフィルム４と接触する前段階において、まず、押込み突起５１がカバーフィルム４と接触する。当該接触状態からさらに上型２３と下型２４とを近付けることで、カバーフィルム４が押込み突起５１によって機能凹部８に押込まれる。また、当該カバーフィルム４の機能凹部８への押込みに伴い、上型２３と対向するカバーフィルム４が下流側にずらされるようにして、バッファ機構４４に貯留されていた残りのカバーフィルム４がシール手段１４側に引っ張り出される。そして、ダンサローラ４７がストッパ４８と当接した時点で、バッファ機構４４に貯留されていた残り全てのカバーフィルム４が引き出されたこととなり、カバーフィルム４のそれ以上の引き出しが規制され、押込み突起５１によるそれ以上の押込みも行われなくなる。
【００６３】
その後、上型２３と下型２４とによって容器フィルム３及びカバーフィルム４が圧接され、機能凹部８にカバーフィルム４が押込まれている状態において、容器フィルム３とカバーフィルム４とが熱接着される。以上のようにして、シール工程が終了する。
【００６４】
また、シール工程の終了後においては、上型２３及び下型２４は離間させられるが、ブリスターフィルム１６は、機能凹部８にカバーフィルム４が押込まれた状態が維持され、その状態のまま切断手段１５へと移送されることとなる。
【００６５】
そして、切断手段１５によって、機能凹部８にカバーフィルム４が押込まれた状態でブリスターフィルム１６が切断線Ｌ１、Ｌ２において切離され、ブリスターパック１が形成されることとなる。
【００６６】
切断線Ｌ１においてブリスターフィルム１６を切断する前の状態においては、機能凹部８の上流側及び下流側において容器フィルム３とカバーフィルム４とが接着されており、カバーフィルム４が機能凹部８に押込まれている状態が維持される。これに対し、ブリスターフィルム１６が切断線Ｌ１において切断されると、機能凹部８よりも下流側（図３（ｂ）では右側）においてカバーフィルム４が自由端となるため、機能凹部８に押込まれていたカバーフィルム４が自らの弾性力により機能凹部８から抜け出し、切断線Ｌ１を跨ぐようにして、すなわち容器フィルム３の端部から突出するようにして真直ぐに延びるようになっている。これにより、機能凹部８が形成された一辺部においてカバーフィルム４の端部が容器フィルム３よりも外側に突出したブリスターパック１が確実に得られることとなる。
【００６７】
以上詳述したように、本実施形態におけるブリスター包装機１０によって製造されるブリスターパック１は、機能凹部８が形成された一辺部においてカバーフィルム４の端部が容器フィルム３よりも外側に突出している。当該ブリスターパック１は、前記一辺部においては、カバーフィルム４のうち容器フィルム３側の面に対して指を当てる（引っ掛ける）ことができ、カバーフィルム４を捲りやすくなっている。さらに、カバーフィルム４のうち容器フィルム３の端部から突出している部位の長さが十分に確保されている場合には、カバーフィルム４と容器フィルム３との間を離間させるようにしてカバーフィルム４を捲らなくても、カバーフィルム４の端部を摘むことができる。このように、カバーフィルム４の端部を容器フィルム３よりも外側に突出させることで、例えば、カバーフィルム４よりも硬くて厚肉な容器フィルム３がカバーフィルム４よりも外側に突出しているような構成や、容器フィルム３及びカバーフィルム４の端縁が揃っているような構成に比べ、比較的容易にカバーフィルム４を捲って容器フィルム３から剥がすことができる。勿論、ブリスターパック１の端部において容器フィルム３とカバーフィルム４との間が広がるように構成する必要もない。これらのことから、開封しやすいブリスターパック１を安定して得ることができる。
【００６８】
また、バッファ機構４４の存在により、容器フィルム３の搬送とカバーフィルム４の繰出しとを同期させる必要がなくなるため、各フィルム３，４の送り制御を比較的容易なものとすることができる。
【００６９】
さらに、本実施形態によれば、バッファ機構４４において貯留されているカバーフィルム４は、容器フィルム３の搬送に伴って引き出された後においても少し残るようになっている。さらに、この残りのカバーフィルム４は、押込み突起５１によってカバーフィルム４が機能凹部８に押込まれることで全て引き出される。換言すれば、押込み突起５１は、バッファ機構４４に貯留されているカバーフィルム４の残り全てが引き出されるまで、カバーフィルム４を機能凹部８に押込むようになっている。例えば、カバーフィルム４の繰出し量が予定量よりも少なくなってしまった場合には、機能凹部８に押込まれるカバーフィルム４の量（長さ）が少ないものとされ、一方、カバーフィルム４の繰出し量が予定量よりも多くなってしまった場合には、機能凹部８に押込まれるカバーフィルム４の量が多いものとされる。このように、カバーフィルム４等の送り量の若干のばらつきに応じて機能凹部８へのカバーフィルム４の押込み量が追従的に調整されることで、容器フィルム３とカバーフィルム４とが長手方向に大きくずれてしまうといったおそれを防止することができ、結果として、カバーフィルム４に印刷された識別情報等の位置合わせをより確実に行うことができる。
【００７０】
また、カバーフィルム４に対して一定間隔毎に付されたレジマーク４ａを検知することでカバーフィルム４を一定間隔毎繰出すことから、例えば、カバーフィルム４の繰出し量を実測することで一定量を繰出可能とする構成に比べ、僅かなずれが蓄積されて大きなずれとなってしまうといった事態を防止することができる。従って、カバーフィルム４に印刷された識別情報等の位置合わせをより確実に行うことができる。また、カバーフィルム４の繰出し量を実測したりする場合に比べ、一定間隔毎繰出すための構成の簡素化等を図ることができる。
【００７１】
さらに、容器フィルム３の１回の移送距離（１ピッチ）と、機能凹部８に押込まれるカバーフィルム４の長さとの和が、カバーフィルム４に対してレジマーク４ａの付される間隔と等しくなるよう設定されていることから、安定した一定送りや押込みを実現でき、より確実に位置ずれを防止できる。
【００７２】
また、押込み突起５１は、コイルばね５３を介して上型２３に接続されることで、バッファ機構４４に貯留されているカバーフィルム４がなくなったらそれ以上カバーフィルム４を機能凹部８に押しこまない構成となっている。このため、機能凹部８に対しカバーフィルム４を無理に押込んでしまい、これに起因して、カバーフィルム４が引き延ばされたり、容器フィルム３が潰れたりしてしまうといったおそれを防止することができる。
【００７３】
また、例えば、カバーフィルム４と容器フィルム３とが離間している部位においてブリスターフィルム１６を切断する場合、カバーフィルム４又は容器フィルム３のうちどちらか一方については、切断当初は宙に浮いた状態となってしまう。従って、切断に際し、カバーフィルム４が延びたり、容器フィルム３が変形したりするおそれがある。この点、本実施形態では、切断線Ｌ１がポケット部２と当該ポケット部２よりも上流側に位置する機能凹部８との間に設定されている。当該部位においては、容器フィルム３に凹部等が形成されておらず、カバーフィルム４と容器フィルム３とが密接しているため、上記不具合を防止することができる。
【００７４】
また、本実施形態によれば、ポケット部２と機能凹部８との間において切断するため、一辺部においてのみカバーフィルム４の端部が容器フィルム３から外側に突出することとなる。従って、機能凹部８においてブリスターフィルム１６を切断する場合に比べ、容器フィルム３から外側に突出するカバーフィルム４の突出長をより長くすることができる。その結果、カバーフィルム４を摘んで捲り易くするといった作用効果が一層確実に奏される。
【００７５】
加えて、シール手段１４を構成する上型２３及び下型２４が接触方向に相対移動することで、押込み突起５１によりカバーフィルム４が機能凹部８に押込まれるとともに、容器フィルム３とカバーフィルム４とが接着されるようになっている。つまり、上型２３及び下型２４を接触方向に相対移動させるといった一つの動作で、容器フィルム３とカバーフィルム４とを接着するシール工程と、カバーフィルム４を機能凹部８に押込む押込み工程とを行うことができるため、製造作業性の向上やコストの抑制等を図ることができる。さらに、ポケット部形成手段１２により、ポケット部２及び機能凹部８が同時に形成されるため、製造作業性の向上やコストの抑制等が図られる。
【００７６】
また、例えば、容器フィルム３の幅方向に並ぶ７つのポケット部２に個別に対応して、機能凹部が容器フィルム３の幅方向に断続的に形成されるような場合には、各機能凹部にカバーフィルム４を押込む際にカバーフィルム４が皺になってしまうおそれがある。これに対し、本実施形態によれば、容器フィルム３の幅方向に並ぶ７つ全てのポケット部２に対応するようにして機能凹部８が一続きにかつ一直線状に形成されるため、上記不具合を防止することができ、品質の低下を防止することができる。
【００７７】
尚、容器フィルム３よりも幅の広いカバーフィルム４を容器フィルム３に取着して、カバーフィルム４の端部を容器フィルム３から突出させるといったことも考えられるが、容器フィルム３はその両側部がチェーンクリップコンベア１１のクリップで把持された状態で搬送されるため、かかる構成の採用は困難である。さらには、レジマーク４ａがブリスターパック１に残存することとなるため、外観品質の低下を招くおそれがある。また、チェーンクリップコンベア１１によって搬送される容器フィルム３に対し、その搬送方向に沿って延びるようにして機能凹部を形成することも考えられる。この場合、容器フィルム３に取着されるカバーフィルム４は容器フィルム３よりも幅狭でもよく、さらにはレジマーク４ａを切り離すこともできるため上記不具合は回避できるのではあるが、カバーフィルム４の機能凹部への押込みに際し、カバーフィルム４に皺が形成されてしまうおそれがある。この点、本実施形態のように機能凹部８を設けることにより、カバーフィルム４に皺が形成される等といった不具合を防止することができる。
【００７８】
加えて、本実施形態の構成を採用することで、容器フィルム３がカバーフィルム４の端部から突出するようになっていることに起因して外観品質の低下を招いたり、容器フィルム３の端部とカバーフィルム４とが広がるようになっていることに起因して容器フィルム３とカバーフィルム４との間に異物が挟まりやすくなってしまったりするといったおそれを回避することができる。
【００７９】
以上、一実施形態について説明したが、このような実施形態に限定されるものではなく、本発明の趣旨を逸脱しない限りにおいて種々なる形態で実施できる。
【００８０】
（ａ）ブリスターパック１の形状は特に限定されるものではなく、少なくとも一辺部においてカバーフィルム４の端部が容器フィルム３から突出し、カバーフィルム４を剥がしやすくなっていればよい。例えば、プリスターパック１が複数のポケット部２を具備するようにしてもよい。この場合、ポケット部２を切り離しやすくためのスリット（薄肉部）を設けることが望ましい。また、１つのポケット部２に複数のワークが収容されていてもよい。
【００８１】
（ｂ）上記実施形態では、ポケット部２と当該ポケット部２の上流側に位置する機能凹部８との間でブリスターシート１６を切断しているが、機能凹部８と当該機能凹部８の上流側に位置するポケット部２との間でブリスターシート１６を切断してもよいし、機能凹部８においてブリスターシート１６を切断してもよい。尚、後者の構成を採用する場合、機能凹部８が２つの辺部に分かれて形成されることとなり、当該機能凹部８が形成された２つの辺部においてカバーフィルム４の端部が容器フィルム３から外側に突出することとなる。
【００８２】
（ｃ）カバーフィルム４は、レジマーク４ａを検知することで一定量ずつ間欠的に繰出されるよう構成されているが、特にこのような構成に限定されるものではない。例えば、繰出しローラ４１の回転角度（回転数）を測定することで一定量ずつ繰出せるよう構成してもよい。また、カバーフィルム４については連続的に繰出されるよう構成してもよい。さらに、繰出しローラ４１やバッファ機構４４等を省略し、容器フィルム３の搬送や機能凹部８への押込みに応じて追従的に繰出されるよう構成してもよい。
【００８３】
（ｄ）また、上記実施形態では、カバーフィルム４の移送（繰出し）が終わった後に、容器フィルム３の移送（搬送）を開始しているが、両フィルム３，４の移送を重複させてもよい。この場合、生産性の向上が図られる。但し、容器フィルム３の搬送が終了してからシール手段１４による熱接着（シール工程）が終了するまでの間においては、カバーフィルム４の繰出しは行われないこととする。これにより、カバーフィルム４に印刷された識別情報等の位置合わせを行うことができるといった作用効果が確実に奏される。
【００８４】
（ｅ）上記実施形態では、緩衝手段としてコイルばね５３を採用しているが、特にこのような構成に限定されるものではなく、バッファ機構４４に貯留されているカバーフィルム４がなくなるまで機能凹部８にカバーフィルム４を押込める構成となっていればよい。例えば、コイルばね５３に代えてゴムやシリンダ機構を用いてもよいし、センサやコントローラ等を設けて押込み突起５１の突出長の調節制御を行ってもよい。尚、上型２３に対して押込み突起５１を固定的に（一体的に）設けることとしてもよい。
【００８５】
（ｆ）上記実施形態では特に言及しなかったが、押込み突起５１によるカバーフィルム４の機能凹部８への押込み量（押込み突起５１の機能凹部８への挿入量）は、当該押込み突起５１によって機能凹部８に押込まれたカバーフィルム４が機能凹部８の底面と当接しない（底付きしない）程度に設定されることが望ましい。これにより、カバーフィルム４の繰出し量が予定量よりも多くなってしまった場合においても、押込み突起５１によってカバーフィルム４を機能凹部８に押込むことでバッファ機構４４に貯留されているカバーフィルム４の全てが確実に引き出されるように、機能凹部８に対してカバーフィルム４を予定量（予定長）よりも余分に押込める構成とすることができる。従って、カバーフィルム４に印刷された識別情報等の位置合わせを行うことができるといった作用効果が一層確実に奏される。
【図面の簡単な説明】
【００８６】
【図１】ブリスター包装機を示す概略構成図である。
【図２】（ａ）はブリスターパックを示す斜視図であり、（ｂ）はブリスターパックの断面図である。
【図３】（ａ）はブリスターフィルムの上面図であり、（ｂ）はブリスターフィルムの断面図である。
【図４】シール工程における手順を説明するための模式図である。
【図５】シール工程における手順を説明するための模式図である。
【図６】（ａ）はシール工程における手順を説明するための模式図であり、（ｂ）は押込み突起の周辺部を拡大した図である。
【符号の説明】
【００８７】
１…ブリスターパック、２…ポケット部、３…容器フィルム、４…カバーフィルム、５…非充填物としてのワーク、８…機能凹部、１０…ブリスター包装機、１１…チェーンクリップコンベア、１２…ポケット部形成手段（機能凹部形成手段）、１３…充填手段、１４…シール手段（押込み手段）、１５…打抜・切断手段としての切断手段、１６…ブリスターフィルム、４１…繰出し手段を構成する繰出しローラ、４２…一定送り手段（所定量繰出し手段）を構成する検知手段、４４…バッファ機構、５１…押込み突起、５３…緩衝手段としてのコイルばね。
【図１】
2008162620.tif 000003
【図２】
2008162620.tif 000004
【図３】
2008162620.tif 000005
【図４】
2008162620.tif 000006
【図５】
2008162620.tif 000007
【図６】
2008162620.tif 000008